(57)【要約】      （修正有）【課題】皺が生じにくく、帯の左右何れの柄も適切な位置に現すことが出来るように構成し、さらに、何れの柄を太鼓部として利用しても、満足のいくような巻き方ができるように構成した帯を提供する。【解決手段】組を素材として、通常よりも長手寸法を長くし、長手方向左右の領域で異なる柄・模様を形成する。その左右の柄１１，１２の変更は、帯１の長手方向の中心Ｙと幅方向の中心Ｍを通り帯１の両側縁１ａ、１ｂの間を斜めに結んだ箇所を境界２となすこととした。【選択図】図１
2010156067.tif 000002
【特許請求の範囲】
【請求項１】
組を素材とし、長手方向の何れの端部から巻き始めてもハラの中心が帯の中心に一致する長手寸法に設定するとともに、長手方向左右の領域で異なる柄・模様を形成したことを特徴とした帯。
【請求項２】
帯の長手方向の中心と幅方向の中心を通り帯の両側縁の間を斜めに結んだ箇所を境界として柄・模様の変更をなしている請求項１記載の帯。
【請求項３】
帯の長手方向の中心と幅方向の中心を通り長手方向と平行に左右同等の距離に亘って延びる第１の部位と、この第１の部位の一方の先端部と帯の側縁との間を結んだ第２の部位と、前記第１の部位のもう一方の先端部と帯の反対側の側縁との間を結んだ第３の部位とを連ねた箇所を境界として柄・模様の変更をなしている請求項１記載の帯。
【請求項４】
両柄の境界にぼかしを施して、２つの領域の柄・模様が自然に変化をなすように構成している請求項２または３何れかに記載の帯。
【請求項５】
長手方向左右の領域の柄・模様が異なっており、少なくとも一部の領域の組に染色を施し、更にその部分の色を抜くことによって他の領域とは異なる柄・模様を付している請求項１〜４何れかに記載の帯。
【発明の詳細な説明】
【技術分野】
【０００１】
本発明は、一本で、二種類の異なる使い方が適切に出来るようにした帯に関するものである。
【背景技術】
【０００２】
一本で二種類の使い方のできる帯として特許文献１に示すもの等が知られている。
【０００３】
同文献に記されている帯は、垂れ部に第一太鼓部と第二太鼓部の共通柄を設け、その後の前無地部に続く第一太鼓部と第二太鼓部にそれぞれの柄を設け、腹部には上下に二分割された状態で、それぞれの柄を設け、かつ手先にも腹部と同様に上下に二分割された状態で、それぞれ帯幅の外側を頭とするように、それぞれの柄を設け、更に、二種の太鼓中心の位置及び腹紋の中心位置を特定し、腹部と手先の間の合無地部分の長さを通常より短くしたものである。
【０００４】
この帯は、胴体に右巻きに締めるか左巻きに締めるかによって長手方向に位相のずれた位置に隣接された異なる柄の部分が太鼓部の柄と成す構成になっている。
【特許文献１】実開平7-21723号
【発明の開示】
【発明が解決しようとする課題】
【０００５】
ところで、かかる特許文献1の構成は、帯の端部から柄や模様が設けられた位置までの距離が各柄や模様によって異なるので、帯の端を手にする際、手の部分とする長さが一律ではなく、２種類の柄や模様を使い分けることは必ずしも容易ではないという問題がある。さらに、胴体に右巻きに締めたときと、左巻きに締めたときとで、各々のハラの中心の位置がずれているので、柄・模様を施す領域が多くなって作成に多くの時間やコストがかかることになる。
【０００６】
本発明はこのような課題を解決することを目的としている。
【課題を解決するための手段】
【０００７】
本発明は、かかる目的を達成するために、次のような手段を講じたものである。
【０００８】
すなわち、本発明の帯は、組を素材とし、長手方向の何れの端部から巻き始めてもハラの中心が帯の中心に一致する長手寸法に設定するとともに、長手方向左右の領域で異なる柄・模様を形成したことを特徴としている。
【０００９】
通常の帯の長さでは、帯の長手方向の左側を手にする時と、右側を手にする時とでは、各々異なるハラの中心の位置を成す。その各々のハラの中心と帯の中心の位置にずれが生じるので、どちらか片方の手から巻き始める時に適切な位置に適切な柄・模様が来るように形成すると、もう片方から巻き始める時に適切な位置に適切な柄・模様が形成されない。これに対して、ハラの中心と帯の中心を一致させるために帯の長さを長くすると、長手方向左右どちらを手にしても適切な位置に適切な柄・模様を形成することができる。
【００１０】
しかも、組み素材を使用しているこのような帯であれば、皺にならずに、使用した際の折り目が残らないため、長手方向の左右を異なる柄にして２種類の帯として使用する場合に、一度折った方の柄を次の使用時に太鼓部としても、適切な状態で使用することが可能である。
【００１１】
その際、腰巻部の見栄えを極力損なわないようにするためには、帯の長手方向の中心と幅方向の中心を通り帯の両側縁の間を斜めに結んだ箇所を境界として柄・模様の変更を成すことが望ましい。腰巻部を帯の幅方向の中心で半分に折って使用する際、柄・模様の変更を成す境界が腰巻部中心より端に構成されるので腰巻部の表側に使用される柄と反対側の柄の柄・模様が腰巻部の表側に現われる量を極力抑えることが可能になる。
【００１２】
同様の目的を実現する他の構成としては、帯の長手方向の中心と幅方向の中心を通り長手方向と平行に左右同等の距離に亘って延びる第１の部位と、この第１の部位の一方の先端部と帯の側縁との間を垂直に結んだ第２の部位と、前記第１の部位のもう一方の先端部と帯の反対側の側縁との間を垂直に結んだ第３の部位とを連ねた箇所を境界として柄・模様の変更を成すようにしているものが挙げられる。このようにすることで、腰巻部を帯の幅方向の中心で半分に折って使用する場合、腰巻部の表側に使用される柄と反対側の柄は腰巻部の表側に表れることはなくなり、見栄えを損なう問題は一層解消される。
【００１３】
帯の中心で左右異なる柄・模様を形成する場合、各々の領域の境界を自然な形にするためには、境界の箇所をぼかすことが望ましい。
【００１４】
通常、組の素材は目が粗いため柄をのせたりすることはなく、刺繍等で柄を表現しているものが一般的であるが、帯に従来にはない風合いを醸し出すためには、組の一部分に染色を施し、更にその部分の色を抜くなどの手法によって帯を構成することが望ましい。このようにすれば、帯に柄を設ける際、柄の作成のための時間を短縮したり、柄・模様等の劣化を軽減させる効果にもつながる。
【００１５】
その場合、染色の染料を抜く度合い、染色の染料を抜くための液の濃度や蒸しの時間を変えることによって、部分部分の抜きの変化も有効に表現することが可能である。
【発明の効果】
【００１６】
本発明は以上説明したように、皺になりにくい素材である組を使用して構成しているとともに、長さ調整もなされているため、帯の端部から柄や模様が設けられた位置までの距離が同じ長さになり、帯の端を手にする際、手となる部分の長さが、どちらの端部を手にしても同じ長さになる。ゆえに、帯の長手方向左右どちらを手にして太鼓を形成しても皺などの見栄えを損なうことなく、太鼓部の適切な位置に適切な状態で２種類の柄や模様を使い分けることができる優れた帯を提供することができる。
【発明を実施するための最良の形態】
【００１７】
以下、本発明の一実施形態を、図面を参照して説明する。
【００１８】
図１に示す本実施形態の帯１は、長手方向の端部１１ａ，１２ａどちらからでも巻く事ができ、二種類の柄１１，１２を図２に示すように太鼓部１０１にすることができ、また太鼓部１０１の柄の位置を適切な位置に保つため、図１に示すように、両柄１１，１２の境界２や帯１の長さ、生地の性質などに下記で述べる工夫を凝らしている。
【００１９】
この実施形態の帯１は、少なくとも胴に二重に巻き、なお且つ図２で示すように、太鼓部１０１及びたれ部１０２から成る二重太鼓を作ることの出来る長さに構成されたものである。
【００２０】
図１に示すように、長手方向の所定位置には予め定めた箇所を境界２として両側に２種類の柄１１，１２があしらってある。図において柄１２の方は柄１１との対比を鮮明にするために便宜上白地で表してあるが、ここには適宜の柄や模様が施されるものである。
【００２１】
そして、長手方向の左右の柄１１，１２の何れの端部１１ａ，１２ａを巻き始めとしても、適切な位置に太鼓部１０１の柄・模様を位置づけようとするものである。すなわち図５（ｂ）及び（ｃ）で示すように、通常の長さの帯４だと、腰巻部の表側部分の中心箇所であるハラの中心Ｂ，Ｃが帯４の中心Ｙと異なるため、図５(ｂ)に矢印で示す一方から巻き始めた場合と、図５（ｃ）に矢印で示すもう一方から巻き始めた場合とでは、ハラの中心が異なる箇所に位置する。ゆえに、通常の長さの帯４だと、一方側の端部から巻き始めた際、腰巻部４１１においてハラの中心Ｃが図６（ａ）、（ｂ）に示すように、太鼓部４０１とともに適切な位置になるように位置づけると、他方から巻き始める時、図７（ｂ）に示すように太鼓部４０１を適切に形成した状態で、図７（ａ）で示すように、腰巻部４１１においてハラの中心Ｂがずれる。つまり、両柄４１，４２のハラの中心Ｃ，Ｂに位置する柄・模様であるハラ柄を一方側の端部４１から巻き始めた時、ハラの中心Ｃの適切な位置に位置づけると、もう一方の端部４２から巻き始めた時、ハラ柄がハラの中心Ｂの位置からずれることになる。
【００２２】
そこで、図５（ａ）で示すように、この実施形態の帯１の長さは、ハラの中心Ａと帯１の中心Ｙが同じ位置になるように、通常の長さの帯４より５寸以上、好ましくは５寸〜１尺程度の余長分ｄをとっている。すなわち、全体として長手方向(約１丈１尺５寸＋ｄ)と幅方向（約８寸２分）からなる一反の反物で構成しているものである。このため、図１及び図５（ａ）で示すように、帯１の中心Ｙとハラの中心Ａが一致するように構成されている。ゆえに両柄１１，１２のハラの中心Ａに位置する柄・模様であるハラ柄がどちらの端部１１ａ、１２ａから巻き始めても、適切にハラの中心Ａに位置することになる。また、この柄１１，１２の境界２は、帯の中心Ｙに位置しており、さらにハラの中心にも位置していることから、図３及び図４（ａ）で示すように、腰巻部の表側に両柄１１，１２の柄・模様が現れるものである。その柄・模様がはっきり形成される場合、柄の境界がはっきりし過ぎて見栄えの悪いものとなる。そこで両柄の境界２にぼかしを施すように構成されている。図では柄と柄の境を分かりやすくするために便宜上境界を明瞭に描写しているが、ここには、適宜のぼかしが施されているものである。
【００２３】
なお、同図に示されるように、この実施形態の帯１の左右の柄１１，１２は斜めの境界２において区成してある。つまり、図１（ａ）で示すように、本実施形態の帯１の左右の柄１１，１２は、長手方向の中心Ｙと幅方向の中心Ｍを通り、帯１の両側縁１ａ、１ｂの間を斜めに結んだ箇所を境界２として柄・模様の変更をなすように構成されている。よって、図３及び図４（ａ）に示すように、両柄１１，１２の境界２で表側の柄１１と異なるもう一方の柄１２の表側に露出する量を最小限に抑えることとなる。さらに表側の柄１１ともう一方の柄１２の境界２をぼかすことによって、見栄えが損なわれないようになる。
【００２４】
このように、長手方向左右何れの側も手にすることができる帯１を構成しても、それだけでは、一旦折り目をつけ、手として使用した側を、次の使用時に広げて太鼓部側として使用する場合に皺がめだつ。そこで、本実施形態の帯１は経糸同士を対称な角度で左右から交差させて作られる組物を帯地の素材としている。組の生地はそれぞれの糸が互いに引っ張り合って皺になりにくいという特徴をもつので、一旦折り目をつけても、それを広げれば、皺を殆ど残さないで太鼓部１０１として使用することができる。
【００２５】
なお、組という特質に鑑みて、この帯１は、糸を染色した後、染色した色を抜くことによって、様々な柄・模様を表現することができ、更に部分部分において重ね抜きをおこなえば、強弱、色の変化、ぼかし等の風合いも表現することができる。この場合上記抜きの工程では、図柄を切り抜いた紙やフィルムに絹のスクリーンを張り合わせるシルクスクリーンを使用することで、各々の柄や模様を適切に構成することができる。
【００２６】
以上説明したように、この実施形態の帯１は、組を素材としたものであり、皺になりにくく、使用した際の折り目などが残りにくくなる。また、長手方向の何れの端部から巻き始めてもハラの中心が帯の中心に一致する長手寸法に設定するため、図１及び図５（ａ）で示したように、帯１を２種類の帯として使用する際にハラの中心Ａが帯の中心Ｙに一致する長手寸法として構成したものであり、通常の長さの帯４を使用した場合の不都合、すなわち、左右の柄４１，４２のハラの中心Ｂ，Ｃと帯の中心Ｙの位置にずれがあるのでどちらか一方の腰巻部４１１の適切な位置に適切な柄・模様を表したときに、もう一方の腰巻部４１１では適切な位置に適切な柄・模様が形成されないという不都合を解消し、簡単かつ適切に巻くことを可能にするものとなる。また左右の柄４１，４２のハラの中心Ｂ，Ｃと帯の中心Ｙを一致するところまで両端のどちらか片側を長くしてハラの中心Ｂ、Ｃと帯の中心Ｙのずれを解消したことで、帯の中心を通り、両柄１１，１２の境界２で表側の柄１１と異なるもう一方の柄１２の表側に露出する量を極力抑えることを可能にするものとなる。ゆえに、図１に示したように、長手方向左右の領域で異なる柄・模様が形成された柄１１，１２を２種類の帯として使用しても、太鼓部１０１で柄１１，１２を常に皺のない適切な状態で現すことが可能となる。
【００２７】
以上のことより、皺になりにくい素材である組を使用して構成しているとともに、長さ調整もなされているため、帯の端部から柄や模様が設けられた位置までの距離が同じ長さになり、帯の端を手にする際、手となる部分の長さが、どちらの端部を手にしても同じ長さになる。ゆえに、帯の長手方向左右どちらを手にして太鼓を形成しても皺などの見栄えを損なうことなく、太鼓部の適切な位置に適切な状態で２種類の柄や模様を常に適切に使い分けることができる。
【００２８】
また、図１の（ａ）で示したように、帯１の長手方向の中心Ｙと幅方向の中心Ｍを通り帯１の両側縁１ａ、１ｂの間を斜めに結んだ箇所を境界２として柄・模様の変更をなしているので、帯１の太鼓部１０１側の柄が腰巻部１１１の表側において露出する量を極力抑え、その位置も目立たない側方位置に変位させることができる。そのため、柄１１，１２を切り替えて使用できるように構成しても、単に切り替え使用を可能にするに止どまらず、適切な状態で切り替えて使用することを可能にするものとなる。しかも、左右の柄の境界を斜めに区成した場合には、傾斜角が小さくなるほど、左回り右回りといったように巻き方を変えた場合の、柄・模様のずれを小さくすることができる。
【００２９】
また、両柄１１，１２の境界２にぼかしを施して、２つの領域の柄・模様が自然に変化をなすように構成しているので、境界部分の見栄えを一層良好にすることができる。
【００３０】
さらにまた、通常、組の素材は目が粗いため柄をのせたりすることはなく、刺繍等で柄を表現しているものが一般的であるが、この実施形態では、長手方向左右の領域の柄・模様が異なっており、少なくとも一部の領域の組みに染色を施し、更にその部分の色を抜くことによって柄や模様を表しているので、独特の風合いを醸し出すことができ、柄の作成のための時間を短縮し、柄・模様等の劣化を軽減させることも可能になる。さらに、このような手法を採用すれば、染色の染料を抜く度合い、染色の染料を抜くための液の濃度や蒸しの時間を変えることによって、部分部分の抜きの変化も有効に表現することができる。
【００３１】
以上、本発明の一実施形態について説明したが、各部の具体的な構成は、上述した実施形態のみに限定されるものではなく、本発明の趣旨を逸脱しない範囲で種々変形が可能である。
【００３２】
例えば、図１
(ａ)の両柄１１，１２の境界２の変形例として、図１（ｂ）に示すように、長手方向の中心Ｙと幅方向の中心Ｍを通り長手方向と平行に左右同等の距離に亘って延びる第１の部位３１ｚと、この第１の部位３１ｚの一方の先端部３ａと帯１の側縁１ａとの間を垂直に結んだ第２の部位３１ａと、前記第１の部位３１ｚのもう一方の先端部３ｂと帯１の反対側の側縁１ｂとの間を垂直に結んだ第３の部位３１ｂとを連ねた箇所を境界３として、柄・模様の変更をなすように構成することもできる。
【００３３】
このように構成すると、図３及び図４（ｂ）に示すように、両柄１１，１２の境界３で表側の柄１１と異なる柄１２の柄・模様が腰巻部の表に露出することをほぼ完全に回避することができる点で、上記実施形態と同様もしくはそれ以上の作用効果が奏されるものとなる。
【図面の簡単な説明】
【００３４】
【図１】本発明の一実施形態に係る帯をその変形例とともに示す全体平面図
【図２】同実施形態の帯を着用したときの太鼓部且つ垂れ部を示す斜視図
【図３】同帯の着付け時の腰巻部をその変形例とともに示す斜視図
【図４】同帯の着付け時の腰巻部をその変形例とともに示す拡大斜視図
【図５】同帯の長さを一般的な帯の長さとの比較の下に示す平面図
【図６】一般的な帯を着用した状態を示す斜視図
【図７】一般的な帯を着用したときを示す斜視図
【符号の説明】
【００３５】
１・・・本発明の帯
１ａ・・・側縁
１ｂ・・・側縁
２・・・境界
３・・・境界
３ａ・・・先端部
３ｂ・・・先端部
４・・・一般的な長さの帯
１１・・・柄
１２・・・柄
１１ａ・・・端部
１２ａ・・・端部
３１ａ・・・第２の部位
３１ｂ・・・第２の部位
３１ｚ・・・部位
４１・・・柄
４２・・・柄
１０１・・・太鼓部
１０２・・・たれ部
１１１・・・腰巻部
４０１・・・太鼓部
４１１・・・腰巻部
Ａ・・・ハラの中心
Ｂ・・・ハラの中心
Ｃ・・・ハラの中心
Ｍ・・・幅方向の中心
Ｙ・・・長手方向の中心
【図１】
2010156067.tif 000003
【図２】
2010156067.tif 000004
【図３】
2010156067.tif 000005
【図４】
2010156067.tif 000006
【図５】
2010156067.tif 000007
【図６】
2010156067.tif 000008
【図７】
2010156067.tif 000009